(57)【特許請求の範囲】
【請求項１】
ゲーム機のキャビネット内に、前扉を一体に設けた引出し装置が該キャビネットの前面開口部から引き出し可能に配設され、該引出し装置を施錠するゲーム機の施錠装置において、
該キャビネット内の両側に取り付けられ、係止部を設けた受け金具と、該引出し装置の内側に取り付けられ、該両側の受け金具の係止部に係止される鉤部を両側に設けた施錠部と、を具備し、
該施錠部は、
両側に配した１対の縦基枠部の間に、横基枠部を連結して形成された門形基枠と、
該両側の縦基枠部に各々上下に摺動可能に取り付けられ、該鉤部を有した施錠杆と、
該横基枠部に取り付けられたシリンダ錠と、
該シリンダ錠の錠軸にリンクカムを介して連結され、該横基枠部に摺動可能に取り付けられた連結作動杆と、
該横基枠部の両側端部に回動可能に軸支されるとともに該連結作動杆の両側端部に連結された作動片と、
該両側の施錠杆を該鉤部の該係止部との係止方向に付勢するばね部材と、
を備え、
該シリンダ錠を解錠操作したとき、該リンクカムを介して該連結作動杆が解錠方向に摺動して該両側の作動片が回動し、該作動片の回動によって該両側の施錠杆が解錠方向に摺動し、前記施錠部が解錠されることを特徴とするゲーム機の施錠装置。
【請求項２】
前記施錠杆には、施錠状態の該施錠杆を、解錠操作時を除きロックするロック部材が揺動可能に軸支され、該ロック部材には前記受け金具の係止部に係止可能な被係止部が設けられるとともに、前記作動片が係合可能な係合部が設けられ、解錠操作時、該作動片が該係合部に係合して該ロック部材をアンロック動作させ且つ該施錠杆を解錠方向に摺動させることを特徴とする請求項１記載のゲーム機の施錠装置。
【請求項３】
前記キャビネットの前記前扉の上側に、上前扉が上側に開放可能に取り付けられ、該上前扉の内側に、該上前扉を施錠する上扉施錠具が取り付けられ、前記引出し装置の施錠部を解錠して該引出し装置を引出した状態で、該上扉施錠具が解錠可能とされることを特徴とする請求項１記載のゲーム機の施錠装置。
【請求項４】
前記上扉施錠具には横長の上扉用基枠が設けられ、両側に鉤部を設けた横長の上扉鉤部材が該上扉用基枠内に上下に回動可能に枢支され、該上扉鉤部材に回動操作用のレバーが設けられ、該上前扉を閉じたとき、該上扉施錠具の該上扉鉤部材の該両側の鉤部が該キャビネット側に設けた受け金具に係止されることを特徴とする請求項３記載のゲーム機の施錠装置。
【請求項５】
前記上扉施錠具の受け金具の上扉用係止部は、前記引出し装置の施錠部を施錠する前記係止部の取付枠に設けられたことを特徴とする請求項４記載のゲーム機の施錠装置。
【請求項６】
前記両側の施錠杆及び前記両側の受け金具は縦長に形成され、前記鉤部が該施錠杆の上部と下部に設けられるとともに、該鉤部に係止される係止部が該受け金具の上部と下部に設けられたことを特徴とする請求項１記載のゲーム機の施錠装置。
【発明の詳細な説明】
【技術分野】
【０００１】
本発明は、ゲーム機の施錠装置に関し、特にスロットマインなどのゲーム機において前部に設けた引出し装置を施錠する施錠装置に関する。
【背景技術】
【０００２】
例えば、スロットマシンは、通常、キャビネット内の上部に、回転して図柄を表示するリールを設けたリールユニットが配設され、その下部に、メダルを払い出すメダル払出し装置が配設され、キャビネットの前面を、前扉により開閉可能に閉鎖するように構成される。前扉は、通常、左側部をヒンジ装置により開閉可能に支持され、前扉の前面には、スタートスイッチ、ストップスイッチなどのスイッチ類、装飾ランプなどが設けられる。また、前扉の右側部に、シリンダ錠を備えた施錠装置が取り付けられ、その施錠装置により前扉がキャビネットに対し施錠される。
【０００３】
一方、スロットマシンでは、点検時、メダル充填時などに、上部のリールユニットと下部のメダル払出し装置とが、別々に調整し或いは点検することが行われるため、上部のリールユニットと下部のメダル払出し装置とをキャビネットごと分離し、それらに上前扉と下前扉を設け、別々に扉を開閉可能とした分離型のスロットマシンが、下記特許文献１などで提案されている。
【先行技術文献】
【特許文献】
【０００４】
【特許文献１】特開２００３−２５０９５９号公報
【発明の概要】
【発明が解決しようとする課題】
【０００５】
上記スロットマシンは、営業中などに、メダル払出し装置にメダルを補充する際、前扉を開いてメダルを払出し装置に補充するが、このとき、下前扉の施錠装置を解錠して下前扉のみを開き、図柄を表示するリールを設けたリールユニットを開かずに、メダル払出し装置にメダルを補充することができる。
【０００６】
しかしながら、このスロットマシンの下前扉は、スイッチ類や装飾部などが前方に突出し、左側部に設けたヒンジ装置を介して右開きを行うように構成されるため、下前扉を開放したとき、下前扉の前突出部がキャビネットの左側面からさらに左側に突出し、その下前扉の突出部分がホールの島に設置された隣接機器と干渉しやすいという不具合があった。
【０００７】
そこで、下前扉を下部引出しとして構成するとともに、メダル払出し装置を下部引出し内に配設し、キャビネット内から下部引出しを引き出し可能に配設した構造のスロットマシンが検討された。下部引出し内には、メダル払出し装置が内蔵されるため、下部引出しにはそれを施錠する安全性の高い施錠装置が必要とされる。
【０００８】
従来のゲーム機の前扉を施錠する施錠装置は、種々の構造のものが製造されているが、何れの施錠装置も、前扉がその左側部を、ヒンジ装置を介して横開き可能に取り付けられるため、ヒンジ装置と反対側の側部のみに施錠装置を設けて構成される。このため、ヒンジ装置を有しない下部引出しに、従来の施錠装置をそのまま適用した場合、一方の片側側部のみが施錠され、他方の片側は無施錠となり、セキュリティ上問題が生じやすい。
【０００９】
仮に、上記下前扉とメダル払出し装置を一体化した下部引出しに、別々の施錠装置をその両側に取り付けた場合、解錠時には、別々のキーを用いて、左右別個の施錠装置を解錠操作する必要があり、解錠操作が煩雑化する。
【００１０】
本発明は、上述の課題を解決するものであり、キャビネットの前部に引き出し可能に配設された引出し装置を、高い安全性で施錠し、良好な操作性で解錠することができるゲーム機の施錠装置を提供することを目的とする。
【課題を解決するための手段】
【００１１】
本発明に係るゲーム機の施錠装置は、
ゲーム機のキャビネット内に、前扉を一体に設けた引出し装置が該キャビネットの前面開口部から引き出し可能に配設され、該引出し装置を施錠するゲーム機の施錠装置において、
該キャビネット内の両側に取り付けられ、係止部を設けた受け金具と、該引出し装置の内側に取り付けられ、該両側の受け金具の係止部に係止される鉤部を両側に設けた施錠部と、を具備し、
該施錠部は、
両側に配した１対の縦基枠部の間に、横基枠部を連結して形成された門形基枠と、
該両側の縦基枠部に各々上下に摺動可能に取り付けられ、該鉤部を有した施錠杆と、
該横基枠部に取り付けられたシリンダ錠と、
該シリンダ錠の錠軸にリンクカムを介して連結され、該横基枠部に摺動可能に取り付けられた連結作動杆と、
該横基枠部の両側端部に回動可能に軸支されるとともに該連結作動杆の両側端部に連結された作動片と、
該両側の施錠杆を該鉤部の該係止部との係止方向に付勢するばね部材と、
を備え、
該シリンダ錠を解錠操作したとき、該リンクカムを介して該連結作動杆が解錠方向に摺動して該両側の作動片が回動し、該作動片の回動によって該両側の施錠杆が解錠方向に摺動し、前記施錠部が解錠されることを特徴とする。
【００１２】
このゲーム機の施錠装置によれば、キャビネット内に、前扉を一体に設けた引出し装置がキャビネットの前面開口部から引き出し可能に配設されたゲーム機であっても、施錠部の両側に設けた施錠杆が、引出し装置の両側部を確実に施錠してロックするため、高い安全性をもって引出し装置を施錠することができる。また、解錠時には、横基枠部に設けた１本のシリンダ錠を解錠操作するのみで、簡単に解錠することができる。
【００１３】
ここで、上記施錠杆には、施錠状態の施錠杆を、解錠操作時を除きロックするロック部材が揺動可能に軸支され、ロック部材には上記受け金具の係止部に係止可能な被係止部が設けられるとともに、作動片が係合可能な係合部が設けられ、解錠操作時、作動片が係合部に係合してロック部材をアンロック動作させ且つ施錠杆を解錠方向に摺動させるように構成することができる。これによれば、施錠状態の施錠杆は、ロック部材によって解錠操作時を除きロックされるので、針金などの不正工具を差し込んで施錠杆を不正に動かす不正解錠を防止することができる。
【００１４】
またここで、上記施錠装置において、上記キャビネットの前扉の上側に、上前扉が上側に開放可能に取り付けられる場合、上前扉の内側に、上前扉を施錠する上扉施錠具を取り付け、上記引出し装置の施錠部を解錠して引出し装置を引出した状態で、上扉施錠具を解錠可能とするように構成することができる。これによれば、シリンダ錠を解錠操作して引出し装置を引出さない限り、上前扉の上扉施錠具を解錠することができないので、簡単な構成の上扉施錠具により、上前扉を確実に施錠することができる。
【００１５】
またここで、上記施錠装置において、上記上扉施錠具には横長の上扉用基枠が設けられ、両側に鉤部を設けた横長の上扉鉤部材が上扉用基枠内に上下に回動可能に枢支され、該上扉鉤部材には回動操作用のレバーが設けられ、上前扉を閉じたとき、該上扉鉤部材の両側の鉤部がキャビネット側に設けた受け金具に係止されるように構成することができる。これによれば、上前扉を閉じるのみの簡単な操作で、上扉施錠具の両側の鉤部がキャビネット側の受け金具に係止され、上前扉を容易に施錠することができる。
【００１６】
またここで、上記上扉施錠具の受け金具の上扉用係止部は、上記引出し装置の施錠部を施錠する係止部の取付枠に設けることが好ましい。これによれば、上記上前扉用の受け金具が引出し装置の施錠部の受け金具と共用されるので、部品数を削減し、構造を簡単化することができ、引出し装置を開いた状態で、レバーを引くことにより、上前扉を容易に開放することができる。
【００１７】
またここで、上記両側の施錠杆及び上記両側の受け金具は縦長に形成され、上記鉤部が該施錠杆の上部と下部に設けられるとともに、該鉤部に係止される係止部が該受け金具の上部と下部に設けられた構成とすることができる。
【発明の効果】
【００１８】
この発明の施錠装置によれば、キャビネットの前部に引き出し可能に配設された引出し装置を、高い安全性で施錠し、良好な操作性で解錠することができる。
【図面の簡単な説明】
【００１９】
【図１】本発明の一実施形態を示すゲーム機（スロットマシン）の斜視図である。
【図２】キャビネットから引出し装置を引き出し、上前扉を上側に開いた状態の、内部を省略した斜視図である。
【図３】施錠装置の構成を示すゲーム機の縦断面図である。
【図４】キャビネットから引出し装置を引き出し、上前扉を上側に開いた状態の、内部を省略した縦断面図である。
【図５】キャビネットを仮想線で示し、施錠装置を背面側から見た斜視図である。
【図６】キャビネットを破断して引出し装置を背面側から見たときの、施錠装置の左側部分斜視図である。
【図７】キャビネットを破断して引出し装置の背面側から見たときの、施錠装置の右側部分斜視図である。
【図８】図６のＡ−Ａ断面図である。
【図９】施錠部、受け金具、及び上扉施錠部の構成を示す斜視図である。
【図１０】施錠部、受け金具、及び上扉施錠部の構成を示す分解斜視図である。
【図１１】施錠部のシリンダ錠、横基枠部、連結作動杆の分解斜視図である。
【図１２】施錠部の左側の縦基枠部、施錠杆、ロック部材の分解斜視図である。
【図１３】施錠部の右側の縦基枠部、施錠杆、ロック部材の分解斜視図である。
【図１４】引出し装置を閉じて施錠する際の動作説明斜視図である。
【図１５】引出し装置を閉じて施錠する際の動作説明斜視図である。
【図１６】シリンダ錠を解錠操作して引出し装置を解錠する際の動作説明斜視図である。
【図１７】上前扉を解錠する際の動作説明斜視図である。
【図１８】他の実施形態を示す、上前扉の閉鎖時の動作説明斜視図である。
【発明を実施するための形態】
【００２０】
以下、本発明の一実施形態を図面に基づいて説明する。図１はゲーム機としてのスロットマシンの斜視図を示し、このスロットマシンのキャビネット１には、その前面開口部の下側に、前扉を一体に設けた引出し装置２が引き出し可能に配設され、その上側に、上前扉６が、撥ね上げ式扉として、上側に開放可能に取り付けられる（図２）。
【００２１】
引出し装置２は、図３、図４などに示す如く、引出し本体４の両側にスライドレール３を取り付け、引出し本体４の前面に下前扉部を取り付けて構成され、下前扉部には、スタートスイッチ、ベットスイッチなどのスイッチ類、装飾ランプ、装飾モールなどの装飾類が取り付けられている。なお、引出し装置２の引出し本体４内には、図示を省略しているが、メダル用ホッパーなどを含むメダル払出し装置が配設され、メダルの充填や点検時などに、下前扉部に配置したシリンダ錠１８をキーにより操作して、本施錠装置の施錠部１０を解錠し、引出し装置２を引き出す構造である。
【００２２】
また、図２に示すように、キャビネット１の前面開口部の上側には、上前扉６が、上部に設けた上扉ヒンジ８を介して、上開き式に撥ね上げるように開放可能に取り付けられる。上前扉６には、図示を省略しているが、複数の図柄を回転表示するリールユニット用の表示スペース、ストップスイッチ、計数表示部、装飾ランプなどが装着される。上前扉６の下部に、上扉施錠具７が取り付けられ、上前扉６を閉じたとき、上扉施錠具７によりキャビネット１に対し上前扉６が閉鎖され施錠される。
【００２３】
上扉施錠具７は、図６、図７などに示すように、横長枠状の上扉用基枠３０を有して構成され、上扉用基枠３０内に、横長枠状の上扉鉤部材３１が、両側の支軸３３を介して、上下に回動可能に軸支される。上扉鉤部材３１の両側端部には、鉤部３１ａ、３１ｂが一体に設けられている。両端の鉤部３１ａ，３１ｂは、係止フックを上向きに配したフック形状に形成され、図１７に示すように、キャビネット１側の受け金具４０，４１の上扉用係止部４１ａ，４１ｂに、係止されて施錠される。また、上扉鉤部材３１は、支軸３３に装着したばね部材（トーションバネ）３２により、施錠方向（上方向）に付勢される。上扉鉤部材３１の中間部に、解錠操作用のレバー３１ｃが設けられる。
【００２４】
上扉施錠具７は、上前扉６を閉じる側に回動操作したとき、上扉鉤部材３１の鉤部３１ａ、３１ｂが、受け金具４０，４１の上扉用係止部４１ａ，４１ｂに当って回動した後、ばね部材３２の付勢力により戻り、上扉用係止部４１ａ，４１ｂに係止され、施錠される。解錠操作時には、このレバー３１ｃを図１７のように正面側に引き、これにより、上扉鉤部材３１を下側に回動させ、両端の鉤部３１ａ，３１ｂを下側に回動させて、上扉施錠具７を解錠する。このレバー３１ｃは、通常時、引出し装置２の下前扉の内側に位置し、必然的に引出し装置２を解錠して引出した状態で、解錠操作が可能となる。
【００２５】
施錠装置の受け金具４０，４１は、図９などに示すように、縦長の取付枠４０ｄ、４１ｄの内側に、係止ピン状の上扉用係止部４０ａ，４１ａ及び係止部４０ｂ、４０ｃを突設して構成される。受け金具４０，４１の取付枠４０ｄ、４１ｄは、キャビネット１内の両側面に縦に固定され、引出し装置２の受け金具と上扉施錠具７の受け金具とが共用される構造である。つまり、両側の受け金具４０，４１の取付枠４０ｄ、４１ｄの上部には、上扉用係止部４０ａ，４１ａが突設され、その中間部から下部には、引出し装置２の施錠杆１６，１７が係止される２対のピン状の係止部４０ｂ、４０ｃ、４１ｂ、４１ｃが、間隔をおいて突設される。
【００２６】
上扉施錠具７の鉤部３１ａ、３１ｂは受け金具４０，４１の上部に設けた上扉用係止部４０ａ，４１ａに係止されて施錠される。後述の引出し装置２の両側に設けた施錠杆１６，１７の２対の鉤部１６ａ，１６ｂ，１７ａ，１７ｂは、受け金具４０，４１の２対の係止部４０ｂ、４０ｃ、４１ｂ、４１ｃに係止される。
【００２７】
引出し装置２の施錠装置は、図９〜図１３に示す如く、門形基枠１１を有し、２対の鉤部１６ａ，１６ｂ，１７ａ，１７ｂを両側の施錠杆１６，１７に設けた施錠部１０と、その両側の施錠杆１６，１７の鉤部１６ａ，１６ｂ，１７ａ，１７ｂが係止される受け金具４０，４１と、を備えて構成される。施錠部１０の門形基枠１１は、水平に配置されるチャンネル状の横基枠部１２の両側に、縦基枠部１３,１４を直角に連結固定して形成される。
【００２８】
断面コ字状に形成されたチャンネル状の横基枠部１２の正面側には、図１１に示す如く、シリンダ錠１８がそのキー孔先端部を正面に突出すように、末端部に設けたフランジ１８ｂを介して取り付けられる。シリンダ錠１８の末端の錠軸１８ａに、リンクカム１９が固定され、リンクカム１９の先端は、連結作動杆１５にリンクされる。図示は省略されるが、フランジ１８ｂ内にトーションバネが設けられ、このトーションバネによって、シリンダ錠１８の錠軸１８ａ及びリンクカム１９は、常時、ニュートラル位置に付勢される。このため、シリンダ錠１８の解錠操作（回動操作）後には、錠軸１８ａ及びリンクカム１９は、ばね力でニュートラル位置に復帰するようになっている。また、シリンダ錠１８の非操作時、リンクカム１９、連結作動杆１５及び作動片２０，２１は、上記トーションバネにより、図６などに示すニュートラル位置（施錠位置）に保持されることとなる。
【００２９】
シリンダ錠１８を横基枠部１２に固定する場合、横基枠部１２の左寄りに穿設した大径孔に、背面側からシリンダ錠１８を挿入し、フランジ１８ｂを横基枠部１２内面にねじ止めし、シリンダ錠１８は横基枠部１２に取り付けられる。連結作動杆１５は、図１１に示す如く、横基枠部１２の長手方向に沿って、長孔とリベットの嵌合により所定の横幅範囲内で摺動可能に、横基枠部１２の背面に取り付けられる。
【００３０】
図１１に示すように、横基枠部１２の左端部に、作動片２０が回動可能に軸支され、作動片２０の下部に連結作動杆１５の左端部がリンクされる。作動片２０はフック状の先端部を左上向きにして形成される。また、同様に、横基枠部１２の右端部に、作動片２１が回動可能に軸支され、作動片２１の下部に連結作動杆１５の右端部がリンクされる。作動片２１はフック状の先端部を右上向きにして形成される。
【００３１】
従って、シリンダ錠１８にキーを差し込み右に回すと、図１６に示す如く、連結作動杆１５は背面視右側に移動し、その左端に連結される作動片２０は、そのフック状の上端部を、図１６の反時計方向に回動させ、その右端に連結される作動片２１は、そのフック状の右上端部を、時計方向に回動させる。
【００３２】
これにより、左側の作動片２０はそのフック状先端部で、ロック部材２２の係合部２２ａを介して、背面視左側の施錠杆１６を押し下げる構造である。また、同様に、右側の作動片２１はそのフック状先端部で、ロック部材２３の係合部２３ａを介して、背面視右側の施錠杆１７を押し下げる構造である。図９、図１０などに示すように、施錠杆１６は、長孔とガイドピンとの係合により、縦基枠部１３の内側に、僅かな範囲で上下摺動可能に取り付けられる。施錠杆１７は、長孔とガイドピンとの係合により、縦基枠部１４の内側に、僅かな範囲で上下摺動可能に取り付けられる。
【００３３】
解錠操作時、作動片２０、２１の回動により両側の施錠杆１６，１７が押し下げられて、鉤部１６ａ，１６ｂ，１７ａ，１７ｂによる受け金具４０，４１の係止部４０ｂ、４０ｃ、４１ｂ、４１ｃの係合が解除されるが、このとき、ロック部材２２，２３が作動片２０，２１の押下動作により、その下部の被係止部２２ｂ、２３ｂと受け金具４０，４１との係合を解除するようになっている。
【００３４】
ロック部材２２，２３は、施錠状態の施錠杆１６、１７をロックするための部材であり、図１２、図１３に示す如く、各々、施錠杆１６、１７の上部に、支軸を介して僅かな角度で揺動可能に軸支される。ロック部材２２，２３の上部には、各々の上部に係合部２２ａ，２３ａが直角に曲折して形成され、各々の下部に、施錠時、受け金具４０，４１の係止部４０ｂ、４１ｂと係合する被係止部２２ｂ、２３ｂが設けられる。図８などに示すように、ロック部材２２，２３には、各々、ばね部材（コイルばね）２４，２５が縦基枠部１３，１４との間に掛けられ、このばね部材（コイルばね）２４，２５によって、ロック部材２２，２３は、図８の時計方向のロック位置側に付勢され、且つ施錠杆１６，１７は施錠側(上側）に付勢される。
【００３５】
一方、図１２、図１３のように、施錠杆１６、１７の上部には、溝１６ｃ、１７ｃが設けられ、ロック部材２２，２３の曲折した係合部２２ａ，２３ａがこの溝１６ｃ、１７ｃ内に挿入される。また、この溝１６ｃ、１７ｃの幅は、内側に挿入されるロック部材２２，２３の係合部２２ａ，２３ａが、作動片２０、２１の回動に伴い押し下げられたとき、ロック部材２２，２３の下部の被係止部２２ｂ、２３ｂが受け金具４０，４１の係止部４０ｂ、４１ｂのロックを外す範囲で回動可能な幅に形成されている。
【００３６】
さらに、施錠杆１６、１７の上部と下部には、各々、凹部の真下に鉤部１６ａ，１６ｂ，１７ａ，１７ｂが上向きに形成され、引出し装置２を閉じたとき、キャビネット１側の受け金具４０、４１の係止部４０ｂ、４０ｃ、４１ｂ、４１ｃが鉤部１６ａ，１６ｂ，１７ａ，１７ｂの傾斜面に押し当てられて、施錠杆１６，１７が下降し、係止部４０ｂ、４０ｃ、４１ｂ、４１ｃが鉤部１６ａ，１６ｂ，１７ａ，１７ｂ上側の凹部に嵌り施錠される構造である。
【００３７】
このために、縦基枠部１３，１４の上部と下部には、図１２、図１３に示す如く、各々１対の凹部１３ａ、１４ａが設けられ、施錠時の受け金具４０，４１の係止部４０ｂ、４０ｃ、４１ｂ、４１ｃは、図８に示す如く、これらの凹部１３ａ、１４ａ内に進入し保持される。また、施錠時、ロック部材２２，２３の下部に設けた被係止部２２ｂ、２３ｂは、上記凹部１３ａ、１４ａの真上に位置し、受け金具４０，４１の係止部４０ｂ、４１ｂと係合可能とされて、施錠状態における施錠杆１６，１７の解錠側への動きをロックする。
【００３８】
このように、施錠部１０の両側の施錠杆１６，１７は、キャビネット１に対し引出し装置２を押し込み、閉じると、図１４に示すように、先ず、施錠杆１６，１７は、受け金具４０，４１の係止部４０ｂ、４０ｃ、４１ｂ、４１ｃによって押し下げられ、ばね部材２４，２５の付勢力に抗して下側に摺動する。このとき、係止部４０ｂ、４０ｃ、４１ｂ、４１ｃが鉤部１６ａ，１６ｂ，１７ａ，１７ｂの凹部に進入すると、ばね部材２４，２５の付勢力に施錠杆１６，１７がロック位置まで上昇し、図１５に示すように、施錠状態となる構造である。
【００３９】
そして、キーによりシリンダ錠１８を解錠操作すると、図１６に示すように、リンクカム１９を介して連結作動杆１５が右側に摺動し、これに伴い両端の作動片２０、２１がその先端を下げる方向に回動し、作動片２０、２１は、係合部２２ａ，２３ａとともに、ロック部材２２，２３と施錠杆１６，１７を押し下げる。これにより、図１６に示すように、ロック部材２２，２３がその被係止部２２ｂ、２３ｂと受け金具４０，４１の係止部４０ｂ、４１ｂとの係合を外すように回動且つ下降し、施錠杆１６，１７の鉤部１６ａ，１６ｂ，１７ａ，１７ｂが係止部４０ｂ、４０ｃ、４１ｂ、４１ｃから離れ、解錠されるようになっている。
【００４０】
上記構成の施錠装置の施錠部１０は、図２などに示す如く、スロットマシンの下部の引出し装置２の内側に取り付けられ、その施錠杆１６，１７の鉤部１６ａ，１６ｂ，１７ａ，１７ｂに対応して、受け金具４０，４１が、キャビネット１内の両側面に、取り付けられる。上扉施錠具７は、その上扉鉤部材３１が受け金具４０，４１の上扉用係止部４０ａ，４１ａに対応する位置で、上前扉６の下部内側に取り付けられる。
【００４１】
図４のように上方に開放された上前扉６は、そのまま下側に回動させて閉じると、上扉施錠具７の上扉鉤部材３１が作動して施錠される。このとき、上扉鉤部材３１の鉤部３１ａ，３１ｂは、キャビネット１側の受け金具４０，４１の上扉用係止部４０ａ，４１ａに当たり、上扉鉤部材３１が下側に回動され、フック状の鉤部３１ａ，３１ｂが上扉用係止部４０ａ，４１ａに係止されて、上扉鉤部材３１が上側に戻り、図８に示すように施錠状態となり、上前扉６の上扉施錠具７は施錠される。
【００４２】
図４のように引出された状態の引出し装置２を、キャビネット１内に押し込むと、その施錠部１０が作動して、両側の施錠杆１６，１７の２対の鉤部１６ａ，１６ｂ，１７ａ，１７ｂが両側の受け金具４０，４１の係止部４０ｂ、４０ｃ、４１ｂ、４１ｃに係止され、施錠される。
【００４３】
このとき、引出し装置２をキャビネット１内に押し込むと、図１４に示す如く、先ず、受け金具４０，４１の係止部４０ｂ、４０ｃ、４１ｂ、４１ｃによって施錠杆１６，１７が押し下げられ、施錠杆１６，１７はばね部材２４，２５の付勢力に抗して下側に摺動する。そして、受け金具４０，４１の係止部４０ｂ、４０ｃ、４１ｂ、４１ｃが施錠杆１６，１７の２対の鉤部１６ａ，１６ｂ，１７ａ，１７ｂの凹部に進入すると、ばね部材２４，２５の付勢力に施錠杆１６，１７が施錠位置まで上昇し、図１５に示すように、施錠状態となる。
【００４４】
このような施錠状態では、図８に示すように、ロック部材２２，２３の被係止部２２ｂ、２３ｂが受け金具４０，４１の係止部４０ｂ、４１ｂと係合する位置になってロックされるため、仮に施錠杆１６，１７が不正に解錠側（下側）への移動力を受けたとしても、移動できず、不正解錠は防止される。
【００４５】
一方、シリンダ錠１８にキーを差し込み、右に回して解錠操作すると、図１６に示すように、リンクカム１９を介して連結作動杆１５が図の右側に摺動し、これに伴い両端の作動片２０、２１がその先端を下げる方向に回動し、作動片２０、２１は、係合部２２ａ，２３ａとともに、ロック部材２２，２３と施錠杆１６，１７を押し下げる。
【００４６】
これにより、図１６に示す如く、ロック部材２２，２３がその被係止部２２ｂ、２３ｂと受け金具４０，４１の係止部４０ｂ、４１ｂとの係合を外すように回動且つ下降し、両側の施錠杆１６，１７における２対の鉤部１６ａ，１６ｂ，１７ａ，１７ｂが、受け金具４０，４１の係止部４０ｂ、４０ｃ、４１ｂ、４１ｃから離れ、解錠状態となり、引出し装置２の引き出しが可能となる。
【００４７】
そして、引出し装置２を解錠して引き出せば、上扉施錠具７の上扉鉤部材３１の解錠用のレバー３１ｃが現れる。したがって、上前扉６を開く場合には、この状態で、図１７に示すように、レバー３１ｃを手前に引くと、上扉鉤部材３１が下側に回動し、その両側の鉤部３１ａ，３１ｂが上扉用係止部４０ａ，４１ａから外れ、上扉施錠具７が解錠される。
【００４８】
図１８は他の実施形態の上扉施錠具７を示している。図１８に示す上扉施錠具７には、上記上扉用基枠３０の両側の側壁３０ａに、転動支持用のローラ３４が回転自在に取り付けられ、両側の受け金具４０，４１に、滑り支持板４４が取り付けられる。
【００４９】
これにより、上前扉６を閉じる際、ローラ３４が滑り支持板４０ｅ上を転動し、上前扉６がローラ３４と滑り支持板４０ｅを介して円滑に閉鎖できるようになっている。また、閉鎖する際及び閉鎖状態で、上前扉６側のローラ３４がキャビネット１側の滑り支持板４０ｅ上で支持されるため、上前扉６の自重による垂れ下がりが防止される。さらに、閉鎖状態で、上前扉６の自重が滑り支持板４０ｅ上で支持されるため、仮に上前扉６を無理に押し下げる不正荷重が印加されたとしても、上前扉６がずれて隙間などが生じる不具合は防止される。
【００５０】
なお、ローラ３４は、摩擦係数の小さい合成樹脂製の滑り部材に代えることもできる。その場合には、良好な滑り性を有する合成樹脂製の滑り部材が、上扉用基枠３０の両側の側壁３０ａに取り付けられる。これにより、上前扉６を閉鎖するとき、滑り部材が滑り支持板４０ｅ上に接触し、滑り部材が滑り支持板４０ｅ上を円滑に滑りながら、上前扉６が閉じられる。また、閉鎖する際及び閉鎖状態で、上前扉６側の滑り部材がキャビネット１側の滑り支持板４０ｅ上で支持されるため、上前扉６の自重による垂れ下がりが防止される。
【００５１】
このように、キャビネット１内に、下前扉を一体に設けた引出し装置２がキャビネットの前面開口部から引き出し可能に配設されたスロットマシン等のゲーム機であっても、施錠部１０の両側に設けた施錠杆１６，１７が、引出し装置２の両側部を確実に施錠してロックするため、高い安全性をもって引出し装置２を施錠することができる。また、解錠時には、門形基枠１１の横基枠部１２に設けた１本のシリンダ錠１８を解錠操作するのみで、簡単に解錠することができる。
【００５２】
また、施錠杆１６，１７には、施錠状態の施錠杆を、解錠操作時を除きロックするロック部材２２、２３が揺動可能に軸支され、ロック部材２２、２３には受け金具４０，４１の係止部４０ｂ、４１ｂに係止可能な被係止部２２ｂ，２３ｂが設けられ、作動片２０、２１が係合可能な係合部２２ａ，２３ａが設けられ、解錠操作時、作動片２０，２１が係合部２２ａ，２３ａに係合してロック部材２２，２３をアンロック動作させ、且つ施錠杆１６，１７を解錠方向に摺動させるので、施錠状態の施錠杆１６，１７は、ロック部材２２，２３によって解錠操作時を除きロックされ、針金などの不正工具を差し込んで施錠杆を不正に動かす不正解錠を防止することができる。
【００５３】
なお、上記実施形態では、引出し装置２はキャビネット１の下部に設けたが、引出し装置を中間部や上部に引き出し可能に設けることもできる。また、キャビネット１の上部に、上開き式の上前扉６を設け、そこに上扉施錠具７を設け、上扉鉤部材３１を、受け金具４０，４１の上扉用係止部４０ａ，４１ａに係止させて、上前扉６を施錠するように構成したが、上前扉は他の横開き構造などとすることもでき、上扉用係止部は別の受け金具に設けることもできる。
【符号の説明】
【００５４】
１      キャビネット
２      引出し装置
３      スライドレール
４      引出し本体
６      上前扉
７      上扉施錠具
８      上扉ヒンジ
１０    施錠部
１１    門形基枠
１２    横基枠部
１３    縦基枠部
１３ａ  凹部
１４    縦基枠部
１５    連結作動杆
１６    施錠杆
１６ａ  鉤部
１６ｃ  溝
１７    施錠杆
１８    シリンダ錠
１８ａ  錠軸
１８ｂ  フランジ
１９    リンクカム
２０    作動片
２１    作動片
２２    ロック部材
２２ａ  係合部
２２ｂ  被係止部
２３    ロック部材
２３ｂ  被係止部
２４    ばね部材
３０    上扉用基枠
３１    上扉鉤部材
３１ａ  鉤部
３１ｃ  レバー
３２    ばね部材
３３    支軸
４０    受け金具
４０ａ  上扉用係止部
４０ｂ  係止部
４０ｄ  取付枠
４１ａ  上扉用係止部
【図１】
0006441246.tif 000002
【図２】
0006441246.tif 000003
【図３】
0006441246.tif 000004
【図４】
0006441246.tif 000005
【図５】
0006441246.tif 000006
【図６】
0006441246.tif 000007
【図７】
0006441246.tif 000008
【図８】
0006441246.tif 000009
【図９】
0006441246.tif 000010
【図１０】
0006441246.tif 000011
【図１１】
0006441246.tif 000012
【図１２】
0006441246.tif 000013
【図１３】
0006441246.tif 000014
【図１４】
0006441246.tif 000015
【図１５】
0006441246.tif 000016
【図１６】
0006441246.tif 000017
【図１７】
0006441246.tif 000018
【図１８】
0006441246.tif 000019